(57)【要約】      （修正有）【課題】草刈時の飛散物を広い範囲で遮蔽できるとともに、草刈機を操作する作業者自身が遠隔操作で移動させることができ、道路に面した場所でも一人で草刈作業を行える草刈用飛散防止装置を提供する。【解決手段】ボールキャッチネットのフレーム１１からボールキャッチ用のネットを取り外して飛散物遮蔽機能を有する目の細かいネット１２を張って遮蔽体１０とし、リモコンで遠隔操作可能な子供用充電式電動乗用カート２０と一体に連結して、草刈機に取り付けたリモコンで遠隔操作可能な草刈用飛散防止装置１とする。【選択図】図１
0003230892.tif 000002
【実用新案登録請求の範囲】
【請求項１】
草刈時の飛散物を遮蔽して飛散を防止する飛散防止装置であって、ゲート状のフレームに飛散物遮蔽用のネットを張ったキャスター付の遮蔽体を、遠隔操作可能な自走車両に一体連結し、リモコン操作により草刈り作業に合わせて自走車両ともども遮蔽体を移動自在としたことを特徴とする草刈用飛散防止装置。
【請求項２】
遮蔽体として、野球練習用のボールキャッチネットのフレームにボールキャッチ用のネットの代わりに飛散物遮蔽用のネットを張ったものを使用し、自走車両として、子供用充電式電動乗用カートを使用したことを特徴とする請求項１に記載の草刈用飛散防止装置。
【考案の詳細な説明】
【技術分野】
【０００１】
本考案は、草刈時に跳ね飛ばされた草木片や小石等の飛散物を遮蔽して道路側へ飛び散るのを防止する草刈用飛散防止装置に関する。
【背景技術】
【０００２】
公園等の緑地の草刈りや、道路の路側や中央分離帯、堤防の法面等の草刈りには、回転刃を備えた電動草刈り機が用いられる。ところが、この電動草刈り機を用いた草刈作業では、刈り取られた草木片や地表の小石、空き缶等が、回転刃の回転で跳ね飛ばされて周囲に飛び散る。そのため、道路際で草刈作業を行う際は、飛散物が通行人や車に当らないよう、道路に面した側にベニヤ等の遮蔽板を立て、その遮蔽板を草刈作業の進行に合わせて作業者が持ち上げて移動させるようにしている。こうして草刈作業の進行に合わせて遮蔽板を移動させるには、草刈機を操作して草刈りを行う作業者とは別に、遮蔽板を移動させる作業者が必要である。また、この遮蔽板は、人が無理なく持ち運べるものでなくてはならず、重量並びに寸法に制限があって、あまり大きくできず、大きな範囲をカバーできない。
【０００３】
草刈時の飛散を防止する装置として、フレームにネットを張った遮蔽体も従来から知られており、そのフレームに車輪を付けることも知られている（例えば、特許文献１参照。）。また、フレームにネットを張った遮蔽体をトラックの荷台や手押し車に固定することも提案されている（例えば、特許文献２参照。）。フレームにネットを張った遮蔽体は、大きくても軽量であり、移動も楽である。しかし、これらも、やはり、草刈機を操作する作業者とは別に、遮蔽体を移動させるための作業者が必要である。
【先行技術文献】
【特許文献】
【０００４】
【特許文献１】実用新案登録第３１０７６４９号明細書
【特許文献２】特開２００２−２５３０２３号公報
【考案の概要】
【考案が解決しようとする課題】
【０００５】
草刈時の飛散を防止する装置として用いられているベニヤ等の遮蔽板は、人が持ち運べるよう大きさ等に制限があって、あまり広い範囲をカバーできず、また、草刈機を操作する作業者とは別に、遮蔽板を移動させる作業者が必要で、費用が嵩むという問題があり、また、フレームにネットを張った遮蔽体を用いれば、広い範囲をカバーできるよう大きくしても軽くなり、移動も楽になるが、やはり、草刈機を操作する作業者とは別に、遮蔽体を移動させるための作業者が必要で費用が嵩むという問題がある。
【０００６】
本考案は、草刈時の飛散物を広い範囲で遮蔽できるとともに、草刈機を操作する作業者自身が遠隔操作で移動させることができる草刈用飛散防止装置を提供し、道路に面した場所でも一人で草刈作業を行えるようにすることを目的とする。
【課題を解決するための手段】
【０００７】
本考案は、草刈時の飛散物を遮蔽して飛散を防止する装置を、草刈機を操作する作業者自身が遠隔操作することができ、道路に面した場所でも一人で草刈作業を行えるようにした草刈用飛散防止装置の考案であって、ゲート状のフレームに飛散物遮蔽用のネットを張ったキャスター付の遮蔽体を、遠隔操作可能な自走車両と一体連結し、リモコン操作により草刈り作業に合わせて自走車両ともども遮蔽体を移動自在としたことを特徴とする。
【０００８】
この草刈用飛散防止装置は、公園等の緑地の道路に面した側や、道路の路側や中央分離帯、堤防の法面等の道路際等で草刈りを行う際に、草木片、小石、空き缶等の飛散物が道路側に飛び散って通行人や車に当るのを防止するよう、遮蔽体の位置並びに方向を整えて道路側に配置する。そして、草刈作業の進行に合わせて遠隔操作により移動させて遮蔽体の位置並びに方向を調整する。
【０００９】
この草刈用飛散防止装置の遮蔽体は、フレームにネットを張ったものであって、軽くすることができ、しかも、キャスター付で、自走車両と一体に移動するため、移動が容易であり、十分な大きさものとすることができる。また、ネットを透して裏側まで見通せるため、通行人等の見極めが容易である。そして、草刈機を操作する作業者自身が、リモコンで飛散防止装置を操作しながら、一人で草刈作業を行うことができる。
【００１０】
この草刈用飛散防止装置は、遮蔽体として、既存の野球練習用のボールキャッチネットのフレームに、その既存のボールキャッチネットのネットの代わりに、より網目が細かくて飛散物遮蔽用として機能するネットを張ったものを使用し、自走車両として、既存の子供用充電式電動乗用カート（リモコン付大型ラジコン）を使用したものとすることができ、そうすることで安価に製作できる。その場合、例えば、子供用充電式電動乗用カートからハンドルと座席を取り外し、遮蔽体下部の集球ポケット用ネット支持フレームに連結用の金属パイプを被せ、その金属パイプを被せた部分で、集球ポケット用ネット支持フレームをカート本体のステアリング支持パイプに連結し、遮蔽体下部の連結フレームとカート本体のステアリング支持パイプとを連結する。そうすることで、一体かつ強固に連結されたものとなる。
【考案の効果】
【００１１】
以上の説明から明らかなように、本考案の草刈用飛散防止装置は、飛散防止のための遮蔽体を十分な大きさものとすることができ、また、ネットを透し裏側まで見通せて、通行人等の見極めが容易である。そして、草刈機を操作する作業者自身が、草刈作業の進行に合わせて遠隔操作で飛散防止装置を移動させながら、一人で草刈作業を行うことができ、草刈作業の費用を削減できる効果が大きい。そして、この草刈用飛散防止装置は、既存の例えば野球練習用のボールキャッチネットのフレームに遮蔽用のネットを張った遮蔽体を使用し、既存の例えば子供用充電式電動乗用カートを利用することができ、安価に製作できる。
【図面の簡単な説明】
【００１２】
【図１】本考案の実施形態の草刈用飛散防止装置の斜視図である。
【考案を実施するための形態】
【００１３】
図１は、本考案の実施形態の一例の草刈用飛散防止装置を示している。
【００１４】
この草刈用飛散防止装置１（以下、略して、飛散防止装置１という。）は、遮蔽体１０として、既存の野球練習用の集球ポケット付のボールキャッチネットのフレーム１１からボールキャッチ用のネットを取り外して、代わりに、飛散物遮蔽機能を有する目の細かいネット１２を張ったものを使用し、これを、リモコン（図示省略）で遠隔操作可能な自走車両である既存の子供用充電式電動乗用カート（リモコン付大型ラジコン）２０（以下、略して、電動カート２０という。）と一体に連結したものである。図示の例では、遮蔽体１０の大きさは、例えば、高さ１８０ｃｍ×幅２００ｃｍ程度である。しかし、これに限定されるものではない。
【００１５】
フレーム１１は、金属パイプをコの字に曲げてゲート状に立ち上げたもので、左右支柱部の下端が、金属パイプのスタンド１３Ａ、１３Ｂに固定されている。スタンド１３Ａ、１３Ｂは長手方向がフレーム１１に対し前後に向いた配置で、それぞれ、前後両端にキャスター機能を有する車輪１４（キャスター）が取り付けられている。そして、それら一対のスタンド１３Ａ、１３Ｂは、フレーム１１の左右支柱部が固定された位置より後側で、フレーム１１の上辺に平行な金属パイプの連結フレーム１５に固定されている。また、フレーム１１の左右支柱部には、スタンド１３Ａ、１３Ｂより少し上に、前方へ向けて金属パイプの支持アーム１６が一対連設され、それら左右一対の支持アーム１５によって金属パイプの支持フレーム１７（集球ポケット用ネット支持フレーム）が支持固定されている。
【００１６】
電動カート２０は、予め、カート本体のステアリング支持パイプ２１Ａ、２１Ｂからハンドルを取り外し、シート支持パイプ２２Ａ、２２Ｂからバケットシート状の座席を取り外したものを使用する。一方、遮蔽体１０は、支持フレーム１７（集球ポケット用ネット支持フレーム）の一端側に金属製の連結パイプ３１を被せる。そして、その連結パイプ３１を被せた部分で、ジョイント３２を用いて支持フレーム１７（集球ポケット用ネット支持フレーム）を、カート本体の、遮蔽体１０から遠い側のステアリング支持パイプ２１Ａに連結し、さらに、遮蔽体１０の左右のスタンド１３Ａ、１３Ｂ間を連結する連結フレーム１５と、カート本体の一対のステアリング支持パイプ２１Ａ，２１Ｂとを、金属製の連結パイプ３３とジョイント３４、３５を用いて連結する。遮蔽体１０と電動カート２０はこうして一体かつ強固に連結され、草刈時の飛散物を遮蔽して飛散を防止する遠隔操作可能な飛散防止装置１となる。
【００１７】
この飛散防止装置１は、公園等の緑地の道路に面した側や、道路の路側や中央分離帯、堤防の法面等の道路際等で草刈りを行う際に、草木片、小石、空き缶等の飛散物が道路側に飛び散って通行人や車に当るのを防止するよう、遮蔽体１０を道路側に向けて配置する。そして、草刈作業の進行に合わせて遠隔操作で移動させて遮蔽体１０の位置並びに方向を調整する。その際、飛散防止装置１の操作は、草刈機を操作する作業者自身が手元のリモコンの操作で行うことができ、飛散防止装置１を操作しながら一人で草刈作業を行うことができる。
【００１８】
遮蔽体１０は、フレーム１１にネット１２を張ったものであるため、軽量化でき、しかもキャスター付で、自走車両である電動カート２０と一体で移動するため、大きくても移動容易である。そのため、広い範囲をカバーして遮蔽効果を高めるよう十分に寸法の大きなものとすることができる。
【００１９】
また、遮蔽体１０は、ネット１２を透して裏側まで見通せる。そのため、通行人等の見極めが容易で、周辺に十分目配りして作業することができる。
【００２０】
この飛散防止装置１は、遮蔽体１０のフレーム１１に市販のボールキャッチネットを利用し、自走車両として市販の電動カート２０を利用することで、安価に製作することができる。但し、使用するボールキャッチネットは図示のものに限らない。また、電動カート２０も図示のものに限らない。遮蔽体１０には、図示のものとは仕様の異なる他のボールキャッチネットを利用することもでき、野球以外の他の球技の練習用ネットを利用することも可能である。また、遮蔽体１０は、ボールキャッチネット等の既存のネット装置を利用せずに、飛散防止専用として製作することも可能である。また、電動カート２０に図示のものとは仕様の異なるものを利用することも可能である。小型で遠隔操作可能な自走車両であれば利用できる。本考案はその他様々な実施形態が可能である。
【符号の説明】
【００２１】
１  草刈用飛散防止装置（飛散防止装置）
１０  遮蔽体
１１  フレーム
１２  ネット
１３Ａ、１３Ｂ  スタンド
１４  車輪（キャスター）
１５  連結フレーム
１６  支持アーム
１７  支持フレーム
２１Ａ、２１Ｂ  ステアリング支持パイプ
２２Ａ、２２Ｂ  シート支持パイプ
３１、３３  連結パイプ
３２、３４、３５  ジョイント
【図１】
0003230892.tif 000003